【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】移動局から基地局にアクセスする方法において、
第１のリバースリンク共通制御チャネルを、コンテンションを受けている１セットのランダムアクセスチャネルからランダムに選択する工程と、
アクセスプローブのリクエスト部分を、前記第１のリバースリンク共通制御チャネルを介して送信する工程であって、当該リクエスト部分が前記移動局を外見上一意的に識別するＩＤを具備する工程と、
チャネル割当メッセージを、前記ＩＤおよび予約アクセスチャネルを示す前記基地局から受信する工程であって、当該予約アクセスチャネルが低確率のコンテンションを通信に与える工程と、
前記予約アクセスチャネルを介して、前記アクセスプローブのメッセージ部分を送信する工程と、
を具備することを特徴とする方法。
【請求項２】前記メッセージ部分を送信する工程は、単一の基地局に関係する複数のセクタによって、前記メッセージ部分の受信を容易にすることを特徴とする請求項１に記載の方法。
【請求項３】前記メッセージ部分を送信する工程は、複数の基地局によって、前記メッセージ部分の受信を容易にすることを特徴とする請求項１に記載の方法。
【請求項４】前記メッセージ部分はオーバーヘッドメッセージを具備することを特徴とする請求項１に記載の方法。
【請求項５】前記メッセージ部分はユーザデータを具備することを特徴とする請求項１に記載の方法。
【請求項６】前記メッセージ部分を送信する工程は、利用可能なデータレートセットのうちの１つで生じることを特徴とする請求項１に記載の方法。
【請求項７】前記メッセージ部分は通話発信メッセージを具備することを特徴とする請求項１に記載の方法。
【請求項８】前記メッセージ部分は前記リクエスト部分よりも著しく長いことを特徴とする請求項１に記載の方法。
【請求項９】ハッシュ関数を使用して、前記移動局に関係する、前記一意的に識別する数から、前記移動局を外見上一意的に識別する前記ＩＤを決定する工程をさらに具備することを特徴とする請求項１に記載の方法。
【請求項１０】前記移動局を外見上一意的に識別する前記ＩＤをランダムに選択する工程をさらに具備することを特徴とする請求項１に記載の方法。
【請求項１１】前記チャネル割当メッセージは観測される待ち期間を特定し、前記方法は、前記待ち期間に応じて前記メッセージ部分を送信する工程を遅延させる工程をさらに具備することを特徴とする請求項１に記載の方法。
【請求項１２】前記チャネル割当メッセージは電力制御補正量を特定し、前記方法は、前記電力制御補正量に応じて前記メッセージ部分を送信する電力レベルを決定する工程をさらに具備することを特徴とする請求項１に記載の方法。
【請求項１３】前記予約アクセスチャネルに関係するフォワードリンクチャネルを介して電力制御コマンドを受信する工程と、
前記移動局が前記メッセージ部分を送信する電力レベルを増減することによって前記電力制御コマンドに応答する工程と、をさらに具備することを特徴とする請求項１に記載の方法。
【請求項１４】前記フォワードリンクチャネルは、前記チャネル割当メッセージに明確に指定されることを特徴とする請求項１３に記載の方法。
【請求項１５】前記電力制御コマンドは、単一の基地局に関係する複数のセクタから受信されることを特徴とする請求項１３に記載の方法。
【請求項１６】前記電力制御コマンドは複数の基地局から受信されることを特徴とする請求項１３に記載の方法。
【請求項１７】移動局から基地局にアクセスする方法において、
第１のリバースリンク共通制御チャネルを、コンテンションを受けている１セットのランダムアクセスチャネルからランダムに選択する工程と、
アクセスプローブのリクエスト部分を、前記第１のリバースリンク共通制御チャネルを介して送信する工程と、
低確率のコンテンションを通信に与える予約アクセスチャネルを示すチャネル割当メッセージを受信する工程と、
前記予約アクセスチャネルを介して、前記アクセスプローブのメッセージ部分を送信する工程と、
前記メッセージ部分を送信する工程が実行される電力レベルを増減することによって前記電力制御コマンドに応答する工程と、
を具備することを特徴とする方法。
【請求項１８】移動局から基地局にアクセスする装置において、
第１のリバースリンク共通制御チャネルを、コンテンションを受けている１セットのランダムアクセスチャネルからランダムに選択する手段と、
アクセスプローブのリクエスト部分を、前記第１のリバースリンク共通制御チャネルを介して送信する手段であって、当該リクエスト部分が前記移動局を外見上一意的に識別するＩＤを具備する手段と、
チャネル割当メッセージを、前記ＩＤおよび予約アクセスチャネルを示す前記基地局から受信する手段であって、当該予約アクセスチャネルが低確率のコンテンションを通信に与える手段と、
前記予約アクセスチャネルを介して、前記アクセスプローブのメッセージ部分を送信する手段と、
を具備することを特徴とする装置。
【請求項１９】前記メッセージ部分を送信する手段は、単一の基地局に関係する複数のセクタによって、前記メッセージ部分の復調を許可することを特徴とする請求項１８に記載の装置。
【請求項２０】前記メッセージ部分を送信する手段は、複数の基地局によって、前記メッセージ部分の復調を許可することを特徴とする請求項１８に記載の装置。
【請求項２１】前記メッセージ部分を送信する手段は、利用可能なデータレートセットのうちの１つで作動することを特徴とする請求項１８に記載の装置。
【請求項２２】前記メッセージ部分は前記リクエスト部分よりも著しく長いことを特徴とする請求項１８に記載の装置。
【請求項２３】ハッシュ関数を使用して、前記移動局に関係する、前記一意的に識別する数から、前記移動局を外見上一意的に識別する前記ＩＤを決定する手段をさらに具備することを特徴とする請求項１８に記載の装置。
【請求項２４】前記移動局を外見上一意的に識別する前記ＩＤをランダムに選択する手段をさらに具備することを特徴とする請求項１８に記載の装置。
【請求項２５】前記チャネル割当メッセージは待ち期間を特定し、前記装置は、前記待ち期間に応じて前記メッセージ部分の送信を遅延させる手段をさらに具備することを特徴とする請求項１８に記載の装置。
【請求項２６】前記予約アクセスチャネルに関係するフォワードリンクチャネルを介して電力制御コマンドを受信する手段と、
前記移動局が前記メッセージ部分を送信する電力レベルを増減することによって前記電力制御コマンドに応答する手段と、をさらに具備することを特徴とする請求項１８に記載の装置。
【請求項２７】前記電力制御コマンドを受信する手段は単一の基地局に関係する複数のセクタから前記電力制御コマンドを受信する手段を具備することを特徴とする請求項２６に記載の装置。
【請求項２８】前記電力制御コマンドを受信する手段は複数の基地局から前記電力制御コマンドを受信する手段を具備することを特徴とする請求項２６に記載の装置。
【請求項２９】第１のリバースリンク共通制御チャネルを、コンテンションを受けている１セットのランダムアクセスチャネルからランダムに選択する制御部と、
前記制御部と結合していて、リクエスト部分が前記移動局を外見上一意的に識別するＩＤを具備していて、アクセスプローブの前記リクエスト部分を変調する変調器と、
前記変調器と結合していて、第1のフォワードリンク共通制御チャネルを介して前記リクエスト部分を送信し、前記ＩＤと予約アクセスチャネルとを示すチャネル割当メッセージを受信し、前記予約アクセスチャネルが低確率のコンテンションを通信に与える無線周波数信号処理部と、
前記無線周波数信号処理部と前記制御部と結合していて、前記チャネル割当メッセージを復調する復調器と、を具備し、
前記変調器は、さらに前記アクセスプローブのメッセージ部分を変調し、
前記無線周波数信号処理部は、さらに前記予約アクセスチャネルを介して前記メッセージ部分を送信することを特徴とする移動局。
【請求項３０】前記制御部は、さらに、ハッシュ関数を使用して、前記移動局に関係する、前記一意的に識別する数から、前記移動局を外見上一意的に識別する前記ＩＤを引き出すことを特徴とする請求項２９に記載の移動局。
【請求項３１】前記制御部は、さらに、前記移動局を外見上一意的に識別する前記ＩＤをランダムに選択することを特徴とする請求項２９に記載の移動局。
【請求項３２】前記無線周波数信号処理部は、フォワードリンクチャネルを介して電力制御コマンドを受信し、前記移動局が前記メッセージ部分を送信する電力レベルを増減することによって前記電力制御コマンドに応答することを特徴とする請求項２９に記載の移動局。
【請求項３３】前記無線周波数信号処理部は、さらに、単一の基地局に関係する複数のセクタから前記電力制御コマンドを受信することを特徴とする請求項３２に記載の移動局。
【請求項３４】前記無線周波数信号処理部は、さらに、前複数の基地局から記電力制御コマンドを受信することを特徴とする請求項３２に記載の移動局。
【請求項３５】システムアクセスの方法において、
コンテンションを受けている１セットのランダムアクセスチャネルの間から選択された第１のフォワードリンク共通制御チャネルを介してアクセスプローブのリクエスト部分を受信する工程であって、前記リクエスト部分が移動局を外見上一意的に識別するＩＤを具備する工程と、
前記ＩＤと予約アクセスチャネルとを示すチャネル割当メッセージを送信する工程であって、当該予約アクセスチャネルが低確率のコンテンションを通信に与える工程と、
前記移動局から前記予約アクセスチャネルを介して前記アクセスプローブのメッセージ部分を受信する工程と、
を具備することを特徴とする方法。
【請求項３６】前記メッセージ部分を受信する工程は、基地局に関係する複数のセクタによって行われることを特徴とする請求項３５に記載の方法。
【請求項３７】前記チャネル割当メッセージは、前記メッセージ部分を受信する工程が実行される前に、観測される待ち期間を特定することを特徴とする請求項３５に記載の方法。
【請求項３８】前記リクエスト部分が受信された信号特性レベルに基づいて電力制御補正量を決定する工程をさらに具備し、前記チャネル割当メッセージは、前記移動局によって前記メッセージ部分を送信するために使用される前記電力制御補正量を特定することを特徴とする請求項３５に記載の方法。
【請求項３９】前記メッセージ部分を受信する工程の間に、前記メッセージ部分が受信された信号特性レベルに基づいてフォワードリンクチャネルを介して電力制御コマンドを送信する工程をさらに具備することを特徴とする請求項３５に記載の方法。
【請求項４０】前記基地局に関係する複数のセクタを介して電力制御コマンドを送信する工程をさらに具備し、前記送信する工程は前記メッセージ部分が受信された信号特性レベルに応じて行われることを特徴とする請求項３９に記載の方法。
【請求項４１】システムアクセスを得るための装置において、
コンテンションを受けている１セットのランダムアクセスチャネルの間から選択された第１のフォワードリンク共通制御チャネルを介してアクセスプローブのリクエスト部分を受信する手段であって、前記リクエスト部分が移動局を外見上一意的に識別するＩＤを具備する手段と、
前記ＩＤと予約アクセスチャネルとを示すチャネル割当メッセージを送信する手段であって、当該予約アクセスチャネルが低確率のコンテンションを通信に与える手段と、
前記移動局から前記予約アクセスチャネルを介して前記アクセスプローブのメッセージ部分を受信する手段と、
を具備することを特徴とする装置。
【請求項４２】前記メッセージ部分を受信する手段は、基地局に関係する複数のセクタを介して前記メッセージ部分を受信する手段を具備することを特徴とする請求項４１に記載の装置。
【請求項４３】前記リクエスト部分が受信された信号特性レベルに基づいて電力制御補正量を決定する手段をさらに具備し、前記チャネル割当メッセージは、前記移動局によって前記メッセージ部分を送信するために使用される前記電力制御補正量を特定することを特徴とする請求項４１に記載の装置。
【請求項４４】前記メッセージ部分が受信された信号特性レベルに基づいてフォワードリンクチャネルを介して前記移動局に電力制御コマンドを送信する手段をさらに具備することを特徴とする請求項４１に記載の装置。
【請求項４５】前記メッセージ部分が受信された信号特性レベルに基づいて、基地局に関係する複数のセクタを介して前記移動局に電力制御コマンドを送信する手段をさらに具備することを特徴とする請求項４１に記載の装置。
【請求項４６】コンテンションを受けている１セットのランダムアクセスチャネルの間から選択された第１のフォワードリンク共通制御チャネルを介してアクセスプローブのリクエスト部分を受信する信号処理部であって、前記リクエスト部分が移動局を外見上一意的に識別するＩＤを具備する信号処理部と、
前記ＩＤと予約アクセスチャネルとを示すチャネル割当メッセージを送信する信号生成部であって、当該予約アクセスチャネルが低確率のコンテンションを通信に与える信号生成部と、を具備し、
前記信号処理部は、前記移動局から予約アクセスチャネルを介して前記アクセスプローブのメッセージ部分を受信することを特徴とする基地局。
【請求項４７】前記基地局内の複数のセクタに関係する複数の復調器をさらに具備し、各前記復調器は前記信号処理部と結合していて、前記メッセージ部分は前記複数の復調器の１以上を介して受信されることを特徴とする請求項４６に記載の基地局。
【手続補正２】
【補正対象書類名】明細書
【補正対象項目名】００３０
【補正方法】変更
【補正の内容】
【００３０】
ブロック１５４では、移動局は、下記により詳述されるように割当リバース予約アクセスチャネルＲ‐ＲＡＣＨ  １  ２０４でアクセスプローブのメッセージ部分２１４を送信し、関係したＦ‐ＰＣＣＨ  １  ２０６で電力制御コマンド２１６を受信する。このメッセージ部分は、ページの応答、トラフィックチャネルに対する通話発信リクエスト、ディジタルデータシステムにおいてユーザ情報を有するデータグラム、あるいは他の形式のメッセージを含んでもよい。ブロック１５６では、移動局はアクセス試行を完了し、アクセスルーチンはアイドル状態に入る。